(57)【要約】【課題】クロスフローファンが最も効率よく空気を吸込む領域は、吸込口の下部辺りからであるが、従来の空気調和機では、下部からの吸い込みができず充分な送風性能が確保できない。また、天面からの吸込み増が送風性能向上に大きく寄与できるが、従来の形態では充分な開口ができず、大きな性能向上に繋がらない。【解決手段】吸い込み部に設けた各フラップは、開口時に本体とフラップ、フラップとフラップの間に隙間を設けるように配置して吸い込み抵抗を低減させる。  また、下部に配置されたパネルから上部に配置されたパネルに従い、開口時には徐々に前方向に稼動される。すなわち、下部にある吸込パネルより上部にあるパネルが前方になるように稼動させる。  また、開口時において稼動した各フラップは、本体壁とフラップ、フラップとフラップの間を重ねるように配置させることにより、内部が見えないようにして美観を損なうことの無いようにする。【選択図】図１
2018017418.tif 000002
【特許請求の範囲】
【請求項１】
空気の取入口と吹出口と、前記取入口から取り入れた空気を熱交換する熱交換器と、前記熱交換器にて熱交換して前記吹出口から吹き出すための気流を発生させるファンと、前記ファンの下流に回動可能に設けられ、吹出す空気の風向を変更する上下風向変更羽根ならびに左右風向変更羽根とが設けられた空気調和機において、前記空気調和機の前面側には複数枚からなる吸込パネルを具備し、該複数枚の吸込パネルは前記空気調和機の運転停止時には前記空気調和機の外観に沿うように配置され、前記空気調和機の運転時には前記吸込パネルが移動して、前記吸込パネルと本体との間ならびに前記吸込パネルと前記吸込パネルとの間に吸込口が形成されることを特徴とする空気調和機。
【請求項２】
前記複数枚の吸込パネルは前記空気調和機の運転時に、より上部にある前記吸込パネルが、より下部にある前記吸込パネルより前方に突出する位置に移動されることを特徴とする請求項１に記載の空気調和機。
【請求項３】
前記複数枚の吸込パネルは前記空気調和機の運転時に、前記吸込パネルと本体との間ならびに前記吸込パネルと前記吸込パネルとの間に正面視で重なり部分を有するように配置されることを特徴とする請求項１あるいは２のいずれかに記載の空気調和機。
【発明の詳細な説明】
【技術分野】
【０００１】
本発明は、クロスフローファンおよびこれを有する送風路を搭載した空気調和機の室内ユニットに関するものである。
【背景技術】
【０００２】
従来技術について、図４、図５、図６、図７を参照して説明する。図４は本体斜視図、図５は本体側面図、図６は縦断面図、図７はパネル駆動部詳細図で、図において、バックキャビネット３の内側には貫流フアン４５と熱交換器４７とドレン皿４９Ａ、４９Ｂ、風向板１１Ａ、１１Ｂ等の基本的な内部構造体が取付けられる。そして、バックキャビネット３の内側に取付けられた貫流フアン４５等の基本的な内部構造体は、化粧カバー５を取付けることにより室内ユニット１内に包含される。化粧カバー５は、上部両側に取付リブを形成し、該取付リブを第３の吸込部２５の前部に引っ掻けて、下部をネジ等を介してバックキャビネット３に取付ける。
【０００３】
化粧カバー５には、吸込パネル１７を駆動させる駆動機構部２００と、化粧カバー５の両側内壁に形成した図示しない案内レールを介して着脱可能に取付けられるフイルタ５１と、前記表示部２７などが取付けられる。前記ルーバー駆動機構部２００は、駆動モータ２０１と、該駆動モータ２０１に取付けられる歯車２０３と、該歯車２０３と噛み合う板歯車２０５を備え、吸込パネル１７の両側に上下に移動可能に設けられるラック２０７と、連結棒２０９等から構成される。前記歯車２０３とラック２０７は吸込パネル１７の両側に設けられ、駆動モータ２０１は一方の歯車２０３と噛み合うように設けられる。そして、駆動モータ２０１の回転トルクは、一対の歯車２０３と噛み合う歯車２１１を両端部に設けた連結棒２０９で両側に設けた前記ラック２０７に伝達される。また、フロントパネル７は、内側上部に設けたヒンジ部２５０を介して、フロントパネル７の下部を開閉可能でかつ着脱可能に取付けられる。ここで、フロントパネル７の下部内側には図示しない突起部を設け、該突起部と対応する化粧カバー５の所定の位置に前記突起部と係合する凹部を設けることで、フロントパネル７の取付時に該フロントパネル７が簡単に開いたり運転時に振動しないようにしている。更に、フロントパネル７には、複数の吸込パネル１７が、該吸込パネル１７の長手方向の両側に設けられる連動板３０１を介して連動動作するように取付けられている。連動板３０１には、突起部３０２が設けられ、該突起部３０２が、前記ラック２０７に形成される凹状の勘合部２１３に勘合することで、着脱自在な連結部３００を構成し、ラック２０７のトルクを連動板３０１に伝達して吸込パネル１７を開閉動作させる。
【先行技術文献】
【特許文献】
【０００４】
【特許文献１】特許第３２０７７３７号公報
【発明の概要】
【発明が解決しようとする課題】
【０００５】
しかしながら、このような従来技術のフロントパネルが、クロスフローファンの送風路に搭載されている場合、以下の課題を有している。
【０００６】
まず、クロスフローファンが最も有効に機能する領域は、前面下部すなわち、スタビライザ先端辺りから吸い込む流れに働く所である。しかし、従来技術のフロントパネルの駆動形態では、下部からの吸い込みができず充分な送風性能が確保できない。
【０００７】
また、天面からの吸い込みを助長することが送風性能向上に大きく寄与できるが、従来のフロントパネルの駆動形態では充分な開口ができない。そのため、大きな性能向上に繋がらない。
【０００８】
本発明は、上記従来の課題を解決するもので、吸い込み部に複数のフラップを設け、運転時に吸い込み部を確保するように稼動して、運転停止時には筐体がコンパクトになるように閉じた空気調和機を提供することを目的とする。
【課題を解決するための手段】
【０００９】
前記目的を達成するために、本発明に係る空気調和機においては、空気の取入口と吹出口と、前記取入口から取り入れた空気を熱交換する熱交換器と、前記熱交換器にて熱交換して前記吹出口から吹き出すための気流を発生させるファンと、前記ファンの下流に回動可能に設けられ、吹出す空気の風向を変更する上下風向変更羽根ならびに左右風向変更羽根とが設けられた空気調和機において、前記空気調和機の前面側には複数枚からなる吸込パネルを具備し、該複数枚の吸込パネルは前記空気調和機の運転停止時には前記空気調和機の外観に沿うように配置され、前記空気調和機の運転時には前記吸込パネルが移動して、前記吸込パネルと本体との間ならびに前記吸込パネルと前記吸込パネルとの間に吸込口が形成されるようにし、空気調和機の運転時には空気の流れを確保しつつ、運転停止時には筐体がコンパクトになるようコンパクト化する。
【発明の効果】
【００１０】
本発明によれば、吸い込み部に２枚以上のフラップを設けて、空気調和機の運転時にはスタビライザ先端辺りに相当する場所に上面開口部を確保するように稼動して各フラップの間から空気を吸い込むことができ、尚且つ吸込パネルが複数なので、各パネル間の数が増加することになり、本体に均一に空気を吸い込むことになり熱交換器能力の向上及び送風性能の向上に繋がる。
【図面の簡単な説明】
【００１１】
【図１】本発明の実施の形態の空気調和機における停止時の室内機の構成を示す縦断面図
【図２】本発明の実施の形態の空気調和機における運転時の室内機の構成を示す縦断面図
【図３】本発明の実施の形態の空気調和機における運転時の室内機の構成を示す縦断面図
【図４】従来技術の外観を表す斜視図
【図５】図４を側面から見た図
【図６】図４の中央内部を側面から見た図
【図７】図６のパネル駆動部の詳細正面図
【発明を実施するための形態】
【００１２】
以下、本発明の空気調和機に係る実施の形態について、添付の図面を参照しながら説明する。なお、以下の実施の形態の空気調和機においては、具体的な構成について説明するが、本発明は、以下の実施の形態の具体的な構成に限定されるものではなく、同様の技術的思想に基づく構成が適用された各種空気調和機を含むものである。
【００１３】
（実施の形態）
本発明の実施の形態の空気調和機は、室内機と室外機が冷媒配管及び制御配線等により互いに接続された、所謂セパレート型の空気調和機である。室内機と室外機によりヒートポンプが構成されており、室外機にはコンプレッサが設けられている。実施の形態１の空気調和機における室内機は、室内の壁面に取り付ける壁掛け式室内機である。
【００１４】
図１は、本発明に係る実施の形態１の空気調和機における室内機の運転停止の概略構成を示す縦断面図である。
【００１５】
図２は実施の形態の空気調和機における空調運転時の概略構成を示す縦断面図である。
【００１６】
図３は実施の形態の別の例の空気調和機における空調運転時の概略構成を示す縦断面図である。
【００１７】
図１、図２に示すように、室内機１は、空気の吸込口となる前面開口部２ａと上面開口部２ｂ、および熱交換された空気を吹き出す吹出口２ｃとを有する本体２、及び吸込パネル１７を備えている。本体２の内部には、室内空気に含まれる塵埃を除去するためのフィルタ５１と、取り入れた室内空気を熱交換する熱交換器４７と、前面開口部２ａ及び上面開口部２ｂからフィルタ５１を通して取り入れた室内空気を熱交換器４７で熱交換して吹出口２ｃから室内に吹き出すための気流を発生させる貫流ファンであるファン４５が設けられている。また、室内機１の本体２において、ファン４５の下流側から吹出口２ｃの上流側に至る通風路１０は、ファン４５の下流側に配置されて空気の流れを案内するリアガイダ８と、このリアガイダ８に対向して配置されたスタビライザ９と、本体２の両側壁（図示せず）とで形成されている。
【００１８】
この空気調和機において熱交換した空気を室内に吹き出すための吹出口２ｃには、当該吹出口２ｃを開閉するとともに、空気の吹き出し方向を上下方向に変更することができる上下風向変更手段である上下風向変更羽根１１が設けられている。さらに、吹出口２ｃの内部及び上下風向変更羽根１１周りの空気の吹き出し方向を左右に変更することができる左右風向変更手段である左右風向変更羽根１２が設けられている。
【００１９】
図１に示すように２枚の吸込パネル１７は、運転停止時において本体２に沿うように配置されコンパクトな形態を呈している。図２は空調運転時において、２枚の吸い込みパネルが稼動して配置された状態である。吸込パネル１７と本体２、吸込パネル１７と吸込パネル１７  との隙間が前面開口部２ａとなり前面から空気が均一に吸込まれることになる。このため、熱交換器能力が向上すると伴に送風性能も向上する。
【００２０】
また、図２に示すように、吸込パネルを下から、１７ａ、１７ｂとすると、１７ａよりも１７ｂを前方に配置することにより、天面の吸込口を拡大させて、通風抵抗が低減でき風量増大に繋がる。また、本体に空気が均一に吸込まれることになり、より熱交換器能力と送風性能の向上に繋がる。
【００２１】
また、吸込パネル１７ａと本体壁の重なり部分を２ｃ、吸込パネル１７ａと吸込パネル１７ｂの重なり部分ｏｂ２を設けることにより、正面から空気調和機を見た場合に内部が見えないため美観を維持することができる。同時に吸込領域は確保されるので、送風性能も維持することができる。
【００２２】
図３は吸込パネルを４枚設けた場合の室内機の構成を示す断面図である。
運転時において吸込パネル１７ａ、１７ｂ、１７ｃ、１７ｄが稼動して、１７ｂ、１７ｃ、１７ｄについては各パネル間に吸込部を設けて、１７ａについては本体とパネル、及び、パネルとパネルに吸込部を設けることになる。
【００２３】
これにより、空気がより均一に吸込まれることになり、熱交換器能力が向上すると伴に送風性能も向上する。
【００２４】
運転時においては、吸込パネル１７ａ、１７ｂ、１７ｃ、１７ｄが、順に前方に稼動して配置される。このため、吸込パネル１７ｄの上部の上面開口部２ｂは、より拡大されて通風抵抗が低減でき風量が増大する。また、本体に空気がより均一に吸込まれることになり、熱交換器能力と送風性能の向上に繋がる。
【００２５】
また、吸込パネル１７ａと本体壁の重なり部分を２ｃ、吸込パネル１７ａと吸込パネル１７ｂの重なり部分ｏｂ２、吸込パネル１７ｂと吸込パネル１７ｃの重なり部分ｏｂ３、吸込パネル１７ｃと吸込パネル１７ｄの重なり部分ｏｂ４を設けることにより、正面から空気調和機を見た場合に内部が見えないため美観を維持しつつ吸込領域を確保できるので、送風性能も維持することができる。
【産業上の利用可能性】
【００２６】
本発明の空気調和機は、冷暖房運転時において吸込パネルを稼動させて、吸込口を効果的に確保することにより通風抵抗を大きく低減することができるので、業務用及び一般家庭等で使用される空気調和機として有用である。
【符号の説明】
【００２７】
１  室内機、室内ユニット（筐体）
２  本体
２ａ  前面開口部
２ｂ  上面開口部
２ｃ  吹出口
３  バックキャビネット
５  化粧カバー
７  フロントパネル
８  リアガイダ
９  スタビライザ
１０  通風路
１１  上下風向変更羽根
１２  左右風向変更羽根
１７、１７ａ、１７ｂ、１７ｃ、１７ｄ  吸込パネル
２５  第３の吸込部
２７  表示部
４５  ファン、貫流ファン
４７  熱交換器
４９  ドレイン皿
５１  フィルタ
２００  駆動機構部
２０１  駆動モータ
２０３  歯車
２０７  ラック
２０９  連結棒
２１３  勘合部
２５０  ヒンジ部
３００  連結部
３０１  連動板
３０２  突起部
【図１】
2018017418.tif 000003
【図２】
2018017418.tif 000004
【図３】
2018017418.tif 000005
【図４】
2018017418.tif 000006
【図５】
2018017418.tif 000007
【図６】
2018017418.tif 000008
【図７】
2018017418.tif 000009